(57)【要約】【課題】  使用時にメタボリックシンドロームの基準と自分のウエストサイズが瞬時に目で分る為の工夫と、自分のウエストサイズをタオル上に示す為、簡単に付け外しが出来る手段を設けたタオルを提供する。【解決手段】  タオルには図柄として目盛りとなる線と数字と体型別イラストを設け、目盛りは、少なくとも７０センチ、８５センチ、１００センチ地点に有していることを特徴とする。更に、計測時の自分のウエストサイズをタオル上に示す手段として取り外し可能なワッペン又はバッジを用いる。【選択図】図１
0003147915.tif 000002
【実用新案登録請求の範囲】
【請求項１】
タオルの図柄が、目盛りとなる線と数字と体型別イラストからなるウエストサイズの確認が出来るタオル。
【請求項２】
目盛りとなる線は、基点となる片端又は目印から少なくとも７０センチ、８５センチ、１００センチ地点に有していることを特徴とする請求項１のタオル。
【請求項３】
ウエストサイズをタオル上に示す手段として更に、取り外し可能なワッペン又はバッジを用いることを特徴とする請求項１または請求項２に記載のタオル。
【考案の詳細な説明】
【技術分野】
【０００１】  本考案は、ウエスト（へそ周り）に巻くことで簡単におおよそのメタボリックシンドローム診断ができるタオルに関するものである。
【背景技術】
【０００２】  従来、タオルは入浴時又は入浴後に体を拭くもの、メタボリックシンドローム検診は正確な医療機器により医療機関などで受けるものと相場が決まっていた。【０００３】  また、これまでにもタオルに等間隔で目盛りや数字が付けられたものがあったが、単に体のサイズ（特にウエストサイズ）を測るだけで、測定後に改めて位置を確認する為の工夫は何もされていないのが現状であった。
【実用新案文献１】
実願２００３−２７１５５３号
【実用新案文献２】
実願平８−１０５５０号
【考案の開示】
【考案が解決しようとする課題】
【０００４】  従来のタオルは、上述のように自分のウエストサイズ（へそ周り）が目盛りや数字で確認できるだけであり、メタボリックシンドロームの指標を一目で理解出来るように工夫が施されているものは無かった。【０００５】  ここで、メタボリックシンドロームとは、内臓の周囲に脂肪がたまり、高血糖・高血圧・高脂血・高コレステロールの症状を複数併せ持つ状態のことであるが、その判断基準としてウエストサイズ（へそ周り）をはかり、男性では８５センチ、女性では９０センチを超えないことが一つの目安になっている。【０００６】  そこで、本考案は、タオルに目盛りと数字に加えて客観的に自分の体型を把握する為、ある領域のウエストサイズ（へそ周り）に共通の体型と考えられるイラストを入れ、場合によっては計測時の位置が後で分るように取り外し可能なワッペン又はバッジ付にすることで上記問題を解決する。
【課題を解決するための手段】
【０００７】  請求項１に記載の考案は、タオルの図柄が、目盛りとなる線と数字と体型別イラストからなるウエストサイズの確認が出来るタオルであることを特徴とする。【０００８】  請求項２に記載の考案は、目盛りとなる線は、基点となる片端又は目印から少なくとも７０センチ、８５センチ、１００センチ地点に有していることを特徴とする。【０００９】  請求項３に記載の考案は、ウエストサイズをタオル上に示す手段として更に、取り外し可能なワッペン又はバッジを用いることを特徴とする。
【考案の効果】
【００１０】  本考案によれば、目盛りや数字だけでなく、体型別イラストが入っていることにより現在の自分の位置とメタボリックシンドロームの目安とされる基準までの差異を見るだけで理解できる。【００１１】  また、目盛りとなる線が少なくとも７０センチ、８５センチ、１００センチ地点に有していることでメタボリックシンドロームの基準を８５センチに設定して１５センチ間隔の目盛りと数字により大まかなサイズの理解を可能とする。【００１２】  更に、取り外し可能なワッペン又はバッジを用いることで、現在の自分のサイズの確認のみならず、変化によって移動させられることで、日々の進捗状況が把握でき、自身の励みになり自己管理を可能とする。
【考案を実施するための最良の形態】
【００１３】  タオルには、図柄として目盛りとなる線と数字と体型別イラストを設け、目盛りとなる線と数字は、少なくとも７０センチ、８５センチ、１００センチ地点に設けている。更に、計測時の自分のサイズをタオル上に示す手段として取り外し可能なワッペン又はバッジを用いる。
【実施例】
【００１４】  以下、図面を参照して本考案に係るタオルの一実施例を説明する。
図１は、本考案に係るタオルの平面図であり、図２は、本考案に係るタオルの使用例を示す図である。【００１５】  本実施例では、図１の様に基点となる一方の肩端から男性の基準である８５センチ付近に目盛りとなる線と数字を設け、該基準より等間隔１５センチの幅で７０センチと１００センチ付近にも目盛りとなる線と数字を設け、更に女性の基準である９０センチ付近にも同様に目盛りとなる線と数字を設けている。【００１６】  このようにメタボリックシンドローム診断においては、最低限必要な基準である数値と自分のサイズを知る為の等間隔の目盛りとなる線と数字を設けることがのぞましいが、必要に応じて目盛りを例えば１センチ間隔、５センチ間隔、１０センチ間隔にしても構わない。数字も全てに設けても任意の間隔ごとに設けても構わない。【００１７】  なお、タオルの形状は正方形でも長方形でも構わないが、横幅は、本考案を実施するに当たって１００センチ以上が望ましい。【００１８】  また、図１に示す様に７０センチ以下、７０センチから８５センチの幅、８５センチから１００センチの幅、１００センチ以上で各幅のタオル地の色を変え、例えば、安全ゾーン、注意ゾーン、要注意ゾーン、危険ゾーンの目安にしても構わない。【００１９】  そして、更に図１に示す様に上記ゾーンに「安全」、「注意」、「要注意」、「危険」等の文字表記をしても良い。【００２０】  更に、本考案は、特にウエスト回りを気にする人の為のタオルであるが故、体型別イラストは、肥満度を示す３タイプの自己のウエスト周りをイメージしやすいイラストにして、図１の様に各領域に入れることで、客観的に自分の体型を把握できるようにする。【００２１】  なお、本考案の体型別のイラストは、パターン数を３パターンに限定しない。【００２２】  また、測定時の自分のサイズをタオル上に示す手段として取り外し可能なワッペン又はバッジが望ましい。タオル地と取り外し可能な素材であれば何でも構わないが、例えばマジックテープのような素材を裏地に付けたものか、取り外し可能な嵌め合わせ式のものが良い。【００２３】  ここで、嵌め合わせ式とは、図３のような外枠と内枠とでタオルを挟持する枠バッチのことである。【００２４】  使用方法としては、ウエスト周りにタオルを巻いた時、基点と重なる点が自分のサイズの位置であるので、該位置にワッペン又はバッジを取り付ければタオルを外した後でも自分の位置の確認が容易である。【００２５】  なお、ワッペンの形状は、自分が努力して当初の肥満型から標準型に至るまでの過程を追えるように、腹の出具合を変えたワッペン又はバッジを数種類そろえておく方が望ましいが、図４のような矢印ワッペンでも構わない。【００２６】  以上説明したように、好ましい実施例を挙げて本考案を説明したが、本考案はその実施例に限定されるものではなく、本考案の要旨の範囲内で種々に改変できる。
【図面の簡単な説明】
【００２７】
【図１】本考案に係るタオルの平面図である。
【図２】本考案に係るタオルの使用例を示す図である。
【図３】本考案に係る外枠と内枠とでタオルを挟持する枠使用例を示す図である。
【図４】本考案に係るワッペン又はバッジの使用例を示す図である。
【符号の説明】
【００２８】  １  タオル
２  目盛り
３  数字
４  イラスト
５  ワッペン（又はバッジ）
【図１】
0003147915.tif 000003
【図２】
0003147915.tif 000004
【図３】
0003147915.tif 000005
【図４】
0003147915.tif 000006